(57)【要約】【課題】低コスト化を図ることができる取付アダプタを提供する。【解決手段】  ＨＤＤ取付アダプタは、ハードディスク装置が固定されるＨＤＤトレイ、該ＨＤＤトレイがＹ軸方向から挿入され、筐体に固定されるＨＤＤホルダ４２０、及びＹ軸方向に直交する面内で動くことが可能な状態でＨＤＤホルダ４２０に取り付けられ、ＨＤＤコネクタ３１１と接続されるコネクタ４５１が実装されているコネクタ基板４５０を備えている。この場合は、Ｙ軸方向に直交する面内で、ＨＤＤコネクタ３１１とコネクタ４５１の中心軸がずれていても、ＨＤＤコネクタ３１１とコネクタ４５１を正しく嵌合させることができる。【選択図】図１８
2011086346.tif 000002
【特許請求の範囲】
【請求項１】
コネクタを有する装置を筐体に取り付けるための取付アダプタであって、
前記装置が固定されるトレイと；
前記トレイが一の方向から挿入され、前記筐体に固定されるホルダと；
前記ホルダに設けられ、前記装置のコネクタと接続されるコネクタが実装されているコネクタ基板と；を備え、
前記コネクタ基板は、前記一の方向に直交する面内で動くことが可能な状態で前記ホルダに取り付けられていることを特徴とする取付アダプタ。
【請求項２】
前記コネクタ基板のコネクタは、先端部がテーパ状の挿入ガイドを有し、前記装置のコネクタは、該挿入ガイドが挿入される穴を有し、
前記コネクタ基板は、前記トレイが前記ホルダに挿入される際に、前記挿入ガイドの中心軸と前記穴の中心軸とが一致するように、前記一の方向に直交する面内で移動可能であることを特徴とする請求項１に記載の取付アダプタ。
【請求項３】
前記ホルダは、前記コネクタ基板を取り付けるための固定ピンを有し、
前記コネクタ基板は、前記固定ピンが挿入され、前記固定ピンの外形よりも大きな径の穴が形成されていることを特徴とする請求項１又は２に記載の取付アダプタ。
【請求項４】
前記ホルダにおける前記固定ピンの位置は、前記コネクタ基板の穴径と前記固定ピンの外形との差に応じて、オフセットを有することを特徴とする請求項３に記載の取付アダプタ。
【請求項５】
前記ホルダは、前記トレイが挿入される際の、前記トレイの位置を規定するためのガイドピンを有することを特徴とする請求項３又は４に記載の取付アダプタ。
【請求項６】
前記ガイドピンの先端部はテーパ状であり、
前記トレイに、前記ガイドピンが挿入される皿穴が形成されていることを特徴とする請求項５に記載の取付アダプタ。
【請求項７】
前記ホルダは、前記トレイの挿入を案内するガイドレールを有し、
前記トレイを前記ガイドレールに押しつける方向に関して、前記ホルダにおける前記ガイドピンの位置は、前記トレイにおける前記皿穴の位置に対して、オフセットを有することを特徴とする請求項６に記載の取付アダプタ。
【請求項８】
前記ガイドピンは、プレス加工によって形成されていることを特徴とする請求項５〜７のいずれか一項に記載の取付アダプタ。
【請求項９】
前記固定ピンと前記ガイドピンが一体化されていることを特徴とする請求項５〜７のいずれか一項に記載の取付アダプタ。
【請求項１０】
ハードディスク装置及び光ディスク装置の少なくとも一方が筐体内に収容されている情報処理装置において、
前記ハードディスク装置及び光ディスク装置の少なくとも一方は、請求項１〜９のいずれか一項に記載の取付アダプタを用いて前記筐体に取り付けられていることを特徴とする情報処理装置。
【発明の詳細な説明】
【技術分野】
【０００１】
本発明は、取付アダプタ及び情報処理装置に係り、更に詳しくは、コネクタを有する装置を筐体に取り付けるための取付アダプタ及び該取付アダプタが用いられている情報処理装置に関する。
【背景技術】
【０００２】
ハードディスクや光ディスクは、大容量の情報記録媒体として、情報機器や制御機器などの情報処理装置になくてはならないものとなっている。そこで、情報処理装置には、一般的に、ハードディスクと該ハードディスクに対する書き込み及び読み出しを行う駆動装置とを含むハードディスクドライブ（以下では、便宜上、「ＨＤＤ」という）や、ＣＤ（ｃｏｍｐａｃｔ  ｄｉｓｃ）及びＤＶＤ（ｄｉｇｉｔａｌ  ｖｅｒｓａｔｉｌｅ  ｄｉｓｃ）などの光ディスクに対する書き込み及び読み出しを行う光ディスクドライブが搭載されている。
【０００３】
例えば、情報処理装置の筐体にＨＤＤユニットを活線挿抜するための手段として、射出成形された樹脂製あるいはアルミダイキャストのガイドレールを利用したＨＤＤホルダが市販されている。
【０００４】
そして、筐体へＨＤＤユニットを挿入する際の位置決め機構として、ＨＤＤトレイに設けられた穴（主基準穴：丸穴、従基準穴：長丸穴）とＨＤＤホルダに設けられたテーパ形状のガイドピンを２本使用した機構が知られている。
【０００５】
ところで、特許文献１には、ハードディスクユニットのコネクタを装置側のコネクタに脱着するためのコネクタガイド機構が開示されている。このコネクタガイド機構は、ハウジングに装着された第１のコネクタとケーブル先端に装着された第２のコネクタとを嵌合させて互いに電気的に接続するためのコネクタガイド機構であって、第２のコネクタを支持するコネクタホルダと、コネクタホルダに対してその接触面で摺動自在に設けられたブラケットと、コネクタホルダに設けられかつ第２のコネクタを第１のコネクタの装着位置に案内するガイドピンと、ハウジングに設けられかつガイドピンが挿通されるガイド溝とを有している。
【０００６】
また、特許文献２には、簡単な機構で短時間に精度よく位置を決めることを目的とし、基準孔にピンを差し込んで位置決めする位置決め装置が開示されている。この位置決め装置では、基準孔の、ピンの進入側の縁を約４５°の皿状に面取りするとともに、ピンの先端角部を約４５°でテーパ状に面取りすることにより、基準孔の皿状の開口部端縁とピンの先端の凸角部稜縁との当接を限界として、基準孔とピンの相対的な位置決めを行っている。
【０００７】
また、特許文献３には、感光材料に対して走査露光処理を行うデジタル露光手段と、該デジタル露光手段の近傍で感光材料の搬送処理を行う搬送手段とを備えた写真処理装置が開示されている。この写真処理装置では、搬送手段に、搬送手段側テーパピンおよび搬送手段側テーパ孔部の少なくとも一方が設けられ、デジタル露光手段に、搬送手段側テーパピンおよび搬送手段側テーパ孔部に対応する露光手段側テーパ孔部および露光手段側テーパピンが設けられており、付勢力付加手段を用いて、搬送手段がデジタル露光手段側に押圧されると共に、テーパピンと、該テーパピンに対応するテーパ孔部とがほぼ隙間無く嵌合されるようになっている。
【発明の概要】
【発明が解決しようとする課題】
【０００８】
しかしながら、市販されているＨＤＤホルダでは、コネクタやケーブル等の構成部品が多く低コスト化が困難であるという不都合があった。
【０００９】
本発明は、かかる事情の下になされたもので、その第１の目的は、低コスト化を図ることができる取付アダプタを提供することにある。
【００１０】
また、本発明の第２の目的は、低コスト化を図ることができる情報処理装置を提供することにある。
【課題を解決するための手段】
【００１１】
本発明は、第１の観点からすると、コネクタを有する装置を筐体に取り付けるための取付アダプタであって、前記装置が固定されるトレイと；前記トレイが一の方向から挿入され、前記筐体に固定されるホルダと；前記ホルダに設けられ、前記装置のコネクタと接続されるコネクタが実装されているコネクタ基板と；を備え、前記コネクタ基板は、前記一の方向に直交する面内で動くことが可能な状態で前記ホルダに取り付けられていることを特徴とする取付アダプタである。
【００１２】
これによれば、コネクタやケーブル等の構成部品の数が従来よりも減少し、低コスト化を図ることができる。
【００１３】
本発明は、第２の観点からすると、ハードディスク装置及び光ディスク装置の少なくとも一方が筐体内に収容されている情報処理装置において、前記ハードディスク装置及び光ディスク装置の少なくとも一方は、本発明の取付アダプタを用いて前記筐体に取り付けられていることを特徴とする情報処理装置である。
【００１４】
これによれば、ハードディスク装置及び光ディスク装置の少なくとも一方が、本発明の取付アダプタを用いて筐体に取り付けられているため、結果として、低コスト化を図ることができる。
【図面の簡単な説明】
【００１５】
【図１】本発明の一実施形態に係る情報処理装置の概略構成を説明するための図である。
【図２】ＨＤＤ取付アダプタの外観を説明するための図である。
【図３】ＨＤＤトレイを説明するための図である。
【図４】図４（Ａ）及び図４（Ｂ）は、それぞれ皿穴を説明するための図である。
【図５】ハードディスク装置を説明するための図である。
【図６】ハードディスク装置が固定されているＨＤＤトレイを説明するための図である。
【図７】ＨＤＤホルダの構成を説明するための図である。
【図８】図７の一部を拡大した図である。
【図９】図９（Ａ）及び図９（Ｂ）は、それぞれガイドピンを説明するための図である。
【図１０】側板に固定されているガイドピンを説明するための図である。
【図１１】図１１（Ａ）及び図１１（Ｂ）は、それぞれ固定ピンを説明するための図である。
【図１２】図１２（Ａ）及び図１２（Ｂ）は、それぞれ側板に固定されている固定ピンを説明するための図である。
【図１３】２つのコネクタ基板を説明するための図である。
【図１４】図１４（Ａ）〜図１４（Ｃ）は、それぞれコネクタ基板の構成を説明するための図である。
【図１５】コネクタ基板の貫通孔と固定ピンの大きさとの関係を説明するための図である。
【図１６】図１６（Ａ）及び図１６（Ｂ）は、それぞれコネクタ基板の側板への取付を説明するための図である。
【図１７】固定ピンの位置におけるオフセットを説明するための図（その１）である。
【図１８】固定ピンの位置におけるオフセットを説明するための図（その２）である。
【図１９】図１９（Ａ）及び図１９（Ｂ）は、それぞれガイドレールを説明するための図である。
【図２０】４つのガイドレールの位置関係を説明するための図である。
【図２１】４つのガイドレールとＨＤＤトレイとの関係を説明するための図である。
【図２２】ＨＤＤトレイのＨＤＤホルダへの挿入を説明するための図（その１）である。
【図２３】図２２のＡ−Ａ断面図である。
【図２４】ＨＤＤトレイのＨＤＤホルダへの挿入を説明するための図（その２）である。
【図２５】図２４のＡ−Ａ断面図である。
【図２６】ＨＤＤトレイのＨＤＤホルダへの挿入を説明するための図（その３）である。
【図２７】図２６のＡ−Ａ断面図である。
【図２８】ＨＤＤトレイのＨＤＤホルダへの挿入を説明するための図（その４）である。
【図２９】図２９（Ａ）及び図２９（Ｂ）は、それぞれガイドピンと皿穴の関係を説明するための図である。
【図３０】ＨＤＤトレイのＨＤＤホルダへの挿入を説明するための図（その５）である。
【図３１】図３１（Ａ）は、従来のＨＤＤトレイを説明するための図であり、図３１（Ｂ）は、従来のＨＤＤホルダを説明するための図である。
【図３２】図３２（Ａ）及び図３２（Ｂ）は、それぞれ従来のＨＤＤトレイにおけるガイドピンが挿入される穴を説明するための図である。
【図３３】従来のＨＤＤトレイにおける丸穴、長丸穴とガイドピンとの位置関係を説明するための図である。
【図３４】図３４（Ａ）及び図３４（Ｂ）は、それぞれ皿穴と丸穴の違いを説明するための図である。
【図３５】図３５（Ａ）及び図３５（Ｂ）は、それぞれ突出部の有無の違いを説明するための図である。
【図３６】ＨＤＤトレイをガイドレールに押しつけるための一手段を説明するための図である。
【図３７】図３７（Ａ）及び図３７（Ｂ）は、それぞれ固定ピンとガイドピンの一体化を説明するための図である。
【図３８】一体化ピンを用いるときのＨＤＤホルダの雌ねじ部を説明するための図である。
【図３９】一体化ピンを用いたときのコネクタ基板の保持を説明するための図である。
【図４０】一体化ピンと皿穴との関係を説明するための図である。
【図４１】プレス加工によって成形されたガイドピンを説明するための図である。
【図４２】図４１のガイドピンを用いたときのコネクタ基板の保持を説明するための図である。
【図４３】図４３（Ａ）及び図４３（Ｂ）は、それぞれ図４１のガイドピンを用いたときの皿穴との関係を説明するための図（その１）である。
【図４４】図４４（Ａ）及び図４４（Ｂ）は、それぞれ図４１のガイドピンを用いたときの皿穴との関係を説明するための図（その２）である。
【図４５】図４５（Ａ）は、長さｃを説明するための図であり、図４５（Ｂ）は、長さａを説明するための図である。
【発明を実施するための形態】
【００１６】
以下、本発明の一実施形態を図１〜図３０に基づいて説明する。図１には、一実施形態に係る情報処理装置１０の外観が示されている。
【００１７】
この情報処理装置１０は、モニタ１００、入力装置１５０、及び本体３００などを有している。
【００１８】
モニタ１００は、表示媒体として液晶ディスプレイ（ＬＣＤ）を備え、本体３００から指示された各種情報を表示する。なお、液晶ディスプレイ（ＬＣＤ）に代えて、ＣＲＴ及びプラズマ・ディスプレイ・パネル（ＰＤＰ）などを用いても良い。
【００１９】
入力装置１５０は、入力媒体としてキーボードを備え、作業者から入力された各種情報を本体３００に通知する。なお、キーボードに代えて、あるいはキーボードとともに、マウス、タブレット、ライトペン及びタッチパネルなどのうち少なくとも１つを備えていても良い。また、入力媒体からの情報はワイヤレス方式で入力されても良い。
【００２０】
また、例えばタッチパネル付き液晶ディスプレイのように、モニタ１００と入力装置１５０とが一体化されていても良い。
【００２１】
本体３００は、マザーボード、電源ユニット、ハードディスク装置、及び冷却用ファンなどを有し、それらは、いわゆるタワー型の筐体内に収容されている。
【００２２】
筐体のフロントパネルあるいは背面パネルには、モニタ１００が接続されるグラフィックポート、キーボードが接続されるキーボードコネクタ、複数のＵＳＢコネクタ、マイク端子、ヘッドホン端子、シリアルポート、パラレルポート、及びＬＡＮコネクタなどが取り付けられている。
【００２３】
ハードディスク装置は、一例として図２に示されるように、ＨＤＤ取付アダプタ４００を介して筐体に取り付けられている。
【００２４】
ここでは、ＨＤＤ取付アダプタ４００は、２段構造を有し、各段にそれぞれ個別にハードディスク装置を収容することができる。すなわち、ＨＤＤ取付アダプタ４００には、２台のハードディスク装置を収容することができる。また、各ハードディスク装置は、筐体のフロントパネルを取り外した状態で、筐体の前方から個別に着脱が可能である。
【００２５】
本明細書では、ＸＹＺ３次元直交座標系において、２台のハードディスク装置の積層方向をＺ軸方向、ハードディスク装置の着脱方向をＹ軸方向として説明する。
【００２６】
ＨＤＤ取付アダプタ４００は、２つのＨＤＤトレイ（４１０Ａ、４１０Ｂ、図２では不図示）、ＨＤＤホルダ４２０、及び２つのコネクタ基板（４５０Ａ、４５０Ｂ）を有している。
【００２７】
ＨＤＤトレイ４１０Ａは、ＨＤＤ取付アダプタ４００の上段（＋Ｚ側の段）に収容されるハードディスク装置を固定するための板部材であり、ＨＤＤトレイ４１０Ｂは、ＨＤＤ取付アダプタ４００の下段（−Ｚ側の段）に収容されるハードディスク装置を固定するための板部材である。
【００２８】
ＨＤＤトレイ４１０ＡとＨＤＤトレイ４１０Ｂは、同じ形状の板部材であり、板金加工によって成形されている。なお、ＨＤＤトレイ４１０ＡとＨＤＤトレイ４１０Ｂを区別する必要がないときは、それらを総称して「ＨＤＤトレイ４１０」という。
【００２９】
ＨＤＤトレイ４１０は、一例として図３に示されるように、ＸＹ面に平行な底板４１１、該底板４１１の＋Ｘ側端部から＋Ｚ方向に伸びる側板４１３、及び底板４１１の−Ｘ側端部から＋Ｚ方向に伸びる側板４１５を有している。
【００３０】
底板４１１には、ハードディスク装置をねじ留めするための４つの貫通孔が設けられている。
【００３１】
側板４１３の＋Ｙ側端部は、部分的に＋Ｘ側に直角に折り曲げられ、ＨＤＤホルダ４２０にねじ留めするための貫通孔４１３１が設けられている。同様に、側板４１５の＋Ｙ側端部は、部分的に−Ｘ側に直角に折り曲げられ、ＨＤＤホルダ４２０にねじ留めするための貫通孔４１５１が設けられている。
【００３２】
側板４１３の−Ｙ側端部は、部分的に−Ｘ側に直角に折り曲げられ、皿穴４１３２が設けられている。同様に、側板４１５の−Ｙ側端部は、部分的に＋Ｘ側に直角に折り曲げられ、皿穴４１５２が設けられている。
【００３３】
各皿穴（４１３２、４１５２）は、一例として図４（Ａ）及び図４（Ｂ）に示されるように、−Ｙ側が皿状になっており、＋Ｙ側に突出部を有している。ここでは、一例として各側板の板厚を１ｍｍ、各皿穴の突出量を１ｍｍとしている。
【００３４】
一例として図５に示されるように、ハードディスク装置３１０は、信号ケーブル及び電源ケーブルなどが接続されるコネクタ３１１（以下では、便宜上、「ＨＤＤコネクタ３１１」という）を有している。そして、一例として図６に示されるように、ハードディスク装置３１０は、ＨＤＤコネクタ３１１が設けられている面が−Ｙ側に位置するように底板４１１に載置され、４つのねじを用いてＨＤＤトレイ４１０に固定される。
【００３５】
ＨＤＤホルダ４２０は、ＨＤＤトレイ４１０Ａ及びＨＤＤトレイ４１０Ｂが、個別にＹ軸方向に沿って＋Ｙ側から挿入されるとともに、筐体に固定される板部材であり、板金加工によって成形されている。
【００３６】
ここでは、一例として図７に示されるように、ＨＤＤホルダ４２０は、ＸＹ面に平行な底板４２１、該底板４２１の＋Ｘ側端部から＋Ｚ方向に伸びる側板４２３、底板４２１の−Ｘ側端部から＋Ｚ方向に伸びる側板４２５、天板４３１、及び４本のガイドレール（４２９ａ、４２９ｂ、４２９ｃ、４２９ｄ）を有している。
【００３７】
天板４３１は、ＸＹ面に平行な平面を有する板部材であり、Ｘ軸方向の両端部が部分的に−Ｚ方向に直角に折り曲げられ、各側板とリベット締結するための６つの皿穴が設けられている。また、天板４３１のＸ軸方向の両端部には、筐体にねじ留めするための４つの貫通孔が設けられている。
【００３８】
各側板には、それぞれ天板４３１をリベット締結するための３つの皿穴が設けられている。
【００３９】
側板４２３には、ガイドレール４２９ａ及びガイドレール４２９ｃをリベット締結するための４つの皿穴が設けられている。同様に、側板４２５には、ガイドレール４２９ｂ及びガイドレール４２９ｄをリベット締結するための４つの皿穴が設けられている。
【００４０】
側板４２３の＋Ｙ側端部は、部分的に＋Ｘ側に直角に折り曲げられ、ＨＤＤトレイ４１０Ａの貫通孔４１３１を介してねじが螺合されるねじ穴４２３ａ及びＨＤＤトレイ４１０Ｂの貫通孔４１３１を介してねじが螺合されるねじ穴４２３ｂが設けられている。
【００４１】
同様に、側板４２５の＋Ｙ側端部は、部分的に−Ｘ側に直角に折り曲げられ、ＨＤＤトレイ４１０Ａの貫通孔４１５１を介してねじが螺合されるねじ穴４２５ａ（図７では不図示）及びＨＤＤトレイ４１０Ｂの貫通孔４１５１を介してねじが螺合されるねじ穴４２５ｂ（図７では不図示）が設けられている。
【００４２】
一例として図８に示されるように、側板４２３の−Ｙ側端部は、−Ｘ方向に直角に折り曲げられ、ＨＤＤトレイ４１０Ａの皿穴４１３２に対応するガイドピン４２３Ａ、ＨＤＤトレイ４１０Ｂの皿穴４１３２に対応するガイドピン４２３Ｂ、コネクタ基板４５０Ａを取り付けるためのねじが螺合される２つの固定ピン４２７Ａ、及びコネクタ基板４５０Ｂを取り付けるためのねじが螺合される２つの固定ピン４２７Ｂが取り付けられている。
【００４３】
同様に、側板４２５の−Ｙ側端部は、＋Ｘ方向に直角に折り曲げられ、ＨＤＤトレイ４１０Ａの皿穴４１５２に対応するガイドピン４２５Ａ、ＨＤＤトレイ４１０Ｂの皿穴４１５２に対応するガイドピン４２５Ｂ、コネクタ基板４５０Ａを取り付けるためのねじが螺合される２つの固定ピン４２７Ａ、及びコネクタ基板４５０Ｂを取り付けるためのねじが螺合される２つの固定ピン４２７Ｂが取り付けられている。
【００４４】
各ガイドピンは、いずれも同じ形状のピン状部材であり、一例として図９（Ａ）及び図９（Ｂ）に示されるように、先端部（＋Ｙ側端部）にテーパが付与されている。そして、図１０に示されるように、各ガイドピンは、−Ｙ側端部が側板の所定位置に埋め込まれ固定されている。
【００４５】
各固定ピンは、いずれも同じ形状のピン状部材であり、一例として図１１（Ａ）及び図１１（Ｂ）に示されるように、中央部にねじ穴が形成されている。そして、図１２（Ａ）及び図１２（Ｂ）に示されるように、各固定ピンは、−Ｙ側端部が側板の所定位置に埋め込まれ固定されている。
【００４６】
図１３に示されるように、コネクタ基板４５０Ａは、ＨＤＤホルダ４２０の上段に収容されるハードディスク装置用のコネクタ基板であり、コネクタ基板４５０Ｂは、ＨＤＤホルダ４２０の下段に収容されるハードディスク装置用のコネクタ基板である。
【００４７】
コネクタ基板４５０Ａとコネクタ基板４５０Ｂは、同じ形状及び構成のコネクタ基板である。なお、コネクタ基板４５０Ａとコネクタ基板４５０Ｂを区別する必要がないときは、それらを総称して「コネクタ基板４５０」という。
【００４８】
コネクタ基板４５０は、一例として図１４（Ａ）〜図１４（Ｃ）に示されるように、Ｘ軸方向を長手方向、Ｚ軸方向を短手方向とする長方形の回路基板４５５を有し、該回路基板４５５の四隅に貫通孔が形成されている。そして、回路基板４５５の＋Ｙ側の面には、ＨＤＤコネクタ３１１と接続されるコネクタ４５１が実装されている。また、回路基板４５５の−Ｙ側の面には、マザーボードからの信号ケーブルが接続されるコネクタ４５３、及び電源ユニットからの電源ケーブルが接続されるコネクタ４５２などが実装されている。
【００４９】
ここでは、コネクタ４５１として、市販の挿入ガイド付きコネクタＤ（８７６７８−１００１  ＭＯＬＥＸ社製）を用いている。この挿入ガイドは、先端部がテーパ状である。なお、ＨＤＤコネクタ３１１は、コネクタＤの挿入ガイドが挿入される穴を有している。
【００５０】
また、一例として図１５に示されるように、回路基板４５５の貫通孔の内径Ｄｂは、固定ピンの＋Ｙ側端部の外形Ｄａよりも大きくなるように設定されている。ここでは、一例として、Ｄｂ−Ｄａを１ｍｍに設定している。
【００５１】
そして、一例として図１６（Ａ）及び図１６（Ｂ）に示されるように、回路基板４５５の各貫通孔に固定ピンが挿入されるようにコネクタ基板４５０をセットした状態で、各固定ピンのねじ穴にねじ４５８を螺合する。
【００５２】
これにより、コネクタ基板４５０は、Ｙ軸方向に直交する面内（ＸＺ面内）で動くことが可能な状態でＨＤＤホルダ４２０に取り付けられる。
【００５３】
ところで、このとき、Ｄｂ＞Ｄａの関係があるため、Ｚ軸方向に関して、コネクタ基板４５０は、一例として図１７に示されるように、自重によって、貫通孔の上端と固定ピンの上端とが接触する状態で安定し、貫通孔の中心は、固定ピンの中心よりも−Ｚ側に位置することとなる。
【００５４】
そこで、本実施形態では、一例として図１８に示されるように、Ｚ軸方向に関して、ハードディスク装置３１０のＨＤＤコネクタ３１１とコネクタ基板４５０のコネクタ４５１とがほぼ同じ位置となるように、各固定ピンの位置に＋Ｚ方向のオフセットを付加している。これにより、ＨＤＤコネクタ３１１とコネクタ４５１の嵌合が容易となる。
【００５５】
４本のガイドレール（４２９ａ、４２９ｂ、４２９ｃ、４２９ｄ）は、いずれもＹ軸方向を長手方向とし、ＸＺ断面の形状がＬ字型の板部材であり、板金加工によって成形されている（図１９（Ａ）及び図１９（Ｂ）参照）。
【００５６】
２本のガイドレール（４２９ａ、４２９ｃ）は、側板４２３の−Ｘ側の面にリベット締結され、２本のガイドレール（４２９ｂ、４２９ｄ）は、側板４２５の＋Ｘ側の面にリベット締結されている（図２０参照）。
【００５７】
ガイドレール４２９ａとガイドレール４２９ｂは、Ｘ軸方向に関して対向しており、ＨＤＤトレイ４１０ＡをＨＤＤホルダ４２０の上段に挿入する際のガイドとなる（図２１参照）。
【００５８】
ガイドレール４２９ｃとガイドレール４２９ｄは、Ｘ軸方向に関して対向しており、ＨＤＤトレイ４１０ＢをＨＤＤホルダ４２０の下段に挿入する際のガイドとなる（図２１参照）。
【００５９】
次に、ハードディスク装置３１０がＨＤＤホルダ４２０の上段に収容されるときの、ハードディスク装置３１０、ＨＤＤトレイ４１０Ａ、コネクタ基板４５０Ａ、及びガイドピン４２５Ａの関係を時系列で説明する。なお、ハードディスク装置３１０は、すでにＨＤＤトレイ４１０Ａに固定されているものとする。
【００６０】
（１）ＨＤＤトレイ４１０Ａを、ガイドレール４２９ａ及びガイドレール４２９ｂの＋Ｙ側端部の水平面に近づける（図２２及び図２３参照）。なお、図２３は図２２のＡ−Ａ断面図である。
【００６１】
（２）ＨＤＤトレイ４１０Ａを、ガイドレール４２９ａ及びガイドレール４２９ｂの水平面に載せる。
【００６２】
（３）ＨＤＤトレイ４１０Ａを、ガイドレール４２９ａ及びガイドレール４２９ｂの水平面上を−Ｙ方向に移動させる（図２４及び図２５参照）。なお、図２５は図２４のＡ−Ａ断面図である。
【００６３】
（４）ＨＤＤコネクタ３１１とコネクタ４５１が近接すると、コネクタ４５１の挿入ガイドの先端部がＨＤＤコネクタ３１１の穴に挿入される。さらにＨＤＤトレイ４１０Ａを、ガイドレール４２９ａ及びガイドレール４２９ｂの水平面上を−Ｙ方向に移動させると、挿入ガイドの中心軸とＨＤＤコネクタ３１１の穴の中心軸とが一致するように、コネクタ基板４５０ＡがＸＺ面内で移動する。そして、ＨＤＤコネクタ３１１とコネクタ４５１の接続が開始される（図２６及び図２７参照）。なお、図２７は図２６のＡ−Ａ断面図である。
【００６４】
（５）さらにＨＤＤトレイ４１０Ａを、ガイドレール４２９ａ及びガイドレール４２９ｂの水平面上を−Ｙ方向に移動させると、ＨＤＤコネクタ３１１とコネクタ４５１の接続が進行するとともに、皿穴４１３２及び皿穴４１５２に、それぞれガイドピン４２３Ａ及びガイドピン４２５Ａが挿入される（図２８〜図２９（Ｂ）参照）。
【００６５】
（６）さらにＨＤＤトレイ４１０Ａを、ガイドレール４２９ａ及びガイドレール４２９ｂの水平面上を−Ｙ方向に移動させ、ＨＤＤコネクタ３１１とコネクタ４５１の接続が完了すると（図３０参照）、ＨＤＤトレイ４１０Ａの貫通孔（４１３１、４１５１）を介してＨＤＤホルダ４２０のねじ穴（４２３ａ、４２５ａ）をねじ締結する。これにより、ハードディスク装置３１０のＨＤＤホルダ４２０の上段への収容が完了する。
【００６６】
ハードディスク装置３１０をＨＤＤホルダ４２０から取り出す場合には、上記収容と逆の操作を行えば良い。
【００６７】
以上説明したように、本実施形態に係る情報処理装置１０は、ハードディスク装置を備え、該ハードディスク装置は、ＨＤＤ取付アダプタ４００を介して本体３００の筐体に取り付けられている。
【００６８】
そして、ＨＤＤ取付アダプタ４００は、ハードディスク装置が固定されるＨＤＤトレイ４１０、該ＨＤＤトレイ４１０がＹ軸方向から挿入され、筐体に固定されるＨＤＤホルダ４２０、及びＹ軸方向に直交する面内で動くことが可能な状態でＨＤＤホルダ４２０に取り付けられ、ＨＤＤホルダ４２０に挿入されたハードディスク装置のコネクタと接続されるコネクタが実装されているコネクタ基板４５０を備えている。
【００６９】
また、コネクタ基板４５０のコネクタ４５１は、先端部がテーパ状の挿入ガイドを有し、ＨＤＤコネクタ３１１は、該挿入ガイドが挿入される穴を有している。そして、コネクタ基板４５０は、ＨＤＤトレイ４１０がＨＤＤホルダ４２０に挿入される際に、挿入ガイドの中心軸とＨＤＤコネクタ３１１の穴の中心軸とが一致するように、ＸＺ面内で移動可能である。
【００７０】
この場合は、Ｙ軸方向に直交する面内で、ＨＤＤコネクタ３１１とコネクタ基板のコネクタ４５１の中心軸がずれていても、ＨＤＤコネクタ３１１とコネクタ４５１を正しく嵌合させることができる。そこで、ＨＤＤトレイに、ＨＤＤコネクタ３１１とコネクタ４５１を電気的につなぐためのコネクタを設ける必要がなく、コネクタやケーブル等の構成部品の数が従来よりも減少し、低コスト化を図ることができる。ところで、従来のＨＤＤ取付アダプタでは、一例として図３１（Ａ）及び図３１（Ｂ）に示されるように、ＨＤＤトレイに、ハードディスク装置のコネクタとＨＤＤホルダのコネクタとに接続される複数のコネクタ及びケーブルを有していた。
【００７１】
従って、高コスト化を招くことなく、ハードディスク装置の着脱を容易に行うことができる。
【００７２】
また、本実施形態では、ガイドピンの先端部をテーパ形状とし、該ガイドピンの相手であるＨＤＤトレイの穴を皿穴としている。この場合は、案内機能が付加され、ＨＤＤトレイをＨＤＤホルダ内に挿入するときに必要な力を低減することができる。ところで、従来のＨＤＤトレイでは、一例として図３２（Ａ）〜図３３に示されるように、ガイドピンに対向する穴は、長丸穴と丸穴であった。
【００７３】
図３４（Ａ）には、Ｘ軸方向に関する、ＨＤＤトレイの穴が皿穴のときの穴の中心軸とガイドピンの中心軸とのずれの許容限界Ｄｄが示され、図３４（Ｂ）には、Ｘ軸方向に関する、ＨＤＤトレイの穴が丸穴のときの穴の中心軸とガイドピンの中心軸とのずれの許容限界Ｄｅが示されている。Ｄｅ＜Ｄｄであり、皿穴のほうが、挿入の際に、ガイドピンの中心軸と相手穴の中心軸がＸＺ面内のどの方向にずれていても、そのずれ量がＤｄよりも小さければ、お互いの案内面により中心軸を一致させることが容易に可能である。
【００７４】
また、ＨＤＤトレイの穴が丸穴と長丸穴とからなる場合には、長丸穴の「ニゲ」を一方向にしか設定できないため、ニゲ未設定方向に穴とガイドピンの位置ずれが発生すると、ＨＤＤトレイを挿入する際に長丸穴の端面とガイドピンとが干渉する。そこで、干渉を避けるために穴径を大きくするとガタが大きくなり、挿入後、ＨＤＤトレイの保持ができないという不都合があった。
【００７５】
また、本実施形態では、ＨＤＤトレイの皿穴に突出部を設けている。この場合は、ガイドピンと穴との接触面積が増加し、ガイドピンの保持機能が付加され、ねじ２本のみでＨＤＤトレイを確実にＨＤＤホルダに保持することができる。ところで、図３５（Ａ）には、ＨＤＤトレイの皿穴に突出部が設けられているときのＨＤＤトレイの傾斜の許容限界角αが示され、図３５（Ｂ）には、ＨＤＤトレイの皿穴に突出部が設けられていないときのＨＤＤトレイの傾斜の許容限界角βが示されている。α＜βであり、突出部を設けることにより、ＨＤＤトレイの傾斜を抑えることができる。すなわち、ガイドピンに内接する突出部のストレート部により、ガイドピンとＨＤＤトレイの皿穴の位置が傾いても振れ角を小さくすることができ、ＨＤＤトレイを確実に保持することができる。
【００７６】
なお、上記実施形態では、ＨＤＤホルダ４２０が２段構造を有している場合について説明したが、これに限定されるものではない。
【００７７】
また、上記実施形態では、ＨＤＤホルダ４２０の上段及び下段のいずれにもハードディスク装置が収容される場合について説明したが、これに限定されるものではない。例えば、少なくとも一方の段に光ディスク装置、フレキシブルディスク駆動装置、ＭＯ駆動装置などが収容されても良い。
【００７８】
また、上記実施形態において、一例として図３６に示されるように、Ｚ軸方向に関して、ＨＤＤトレイの皿穴の中心軸に対して、ガイドピンの中心軸が−Ｚ方向にＤｆ（例えば、０．３ｍｍ）だけずれるように設定しても良い。この場合は、ＨＤＤトレイがＨＤＤホルダ４２０に挿入され、ＨＤＤホルダ４２０にねじ留めされたときに、ＨＤＤトレイがガイドレールに押しつけられるため、ＨＤＤトレイの保持をさらに確実なものにすることができる。
【００７９】
また、上記実施形態において、一例として図３７（Ａ）及び図３７（Ｂ）に示されるように、固定ピンとガイドピンを一体化しても良い。この一体化ピン４６１は、大きく３つの部分から構成され、＋Ｙ側にガイドピン部、中央に固定ピン部、−Ｙ側にねじ部を有している。また、ガイドピン部と固定ピン部との間には、一体化ピン４６１をその中心を通りＹ軸に平行な回転軸まわりに回転させるための六角形状の保持部を有している。この場合は、ピンの使用本数が減少し、コスト低減を図ることができる。
【００８０】
この場合には、一例として図３８に示されるように、側板４２３及び側板４２５における固定ピンが埋め込まれていた貫通孔には、一体化ピン４６１のねじ部が螺合されるねじ穴用の立ち上がり部４６２を設けるために、板金のバーリング加工が実施されている。
【００８１】
コネクタ基板をＨＤＤホルダ４２０に取り付ける際には、一体化ピン４６１のねじ部をコネクタ基板における回路基板４５５の貫通孔に挿入し、側板の立ち上がり部４６２に螺合させる（図３９参照）。
【００８２】
この場合であっても、ガイドピン部とＨＤＤトレイの皿穴との関係は、上記実施形態におけるガイドピンとＨＤＤトレイの皿穴との関係と同じであり（図４０参照）、同様の効果を得ることができる。
【００８３】
また、上記実施形態では、ガイドピンとＨＤＤホルダ４２０の側板とはそれぞれ個別に製造される場合について説明したが、一例として図４１に示されるように、側板をプレス加工してガイドピン４６３を形成しても良い。この場合は、一例として図４２に示されるように、コネクタ基板を側板の−Ｙ側に取り付けても良い。また、この場合に、ＨＤＤトレイにおけるハードディスク装置の取付用穴の位置をずらしても良い。
【００８４】
この場合には、ガイドピンが皿穴の突出部によって保持されても良いし、皿穴の皿面によって保持されても良い。
【００８５】
Ａ：突出部によって保持される場合（図４３（Ａ）及び図４３（Ｂ）参照）
ＨＤＤホルダ４２０の側板が厚さｔ１＝１．０ｍｍの冷間圧延鋼板のときには、一般的なプレス加工で成形可能なガイドピンのストレート高さｔ２は０．８ｍｍになるため、皿穴における皿の深さｔ３を０．４ｍｍに設定すると、突出部でガイドピンを保持することができる。
【００８６】
Ｂ：皿面によって保持される場合（図４４（Ａ）及び図４４（Ｂ）参照）
ＨＤＤホルダ４２０及びＨＤＤトレイの加工精度が悪く、ガイドピンの中心軸と皿穴の中心軸とのずれが皿寸法０．４ｍｍよりも大きくなってしまうときは、以下の項目を調整すれば良い。
【００８７】
（ａ）ＨＤＤトレイの皿穴の突出部をなくし、皿径を０．４ｍｍから１．０ｍｍに大きくする。
【００８８】
（ｂ）ガイドピンのテーパ形状を、皿穴の皿部と嵌合する大きさにする。
【００８９】
（ｃ）Ｙ軸方向に関する、ＨＤＤトレイにおけるねじの取付面から皿穴までの寸法ｃ（図４５（Ａ）参照）、及びＨＤＤホルダ４２０の長さａ（図４５（Ｂ）参照）を用いて、ｃ＝ａ＋０．５ｍｍ、とし、ＨＤＤトレイをＨＤＤホルダ４２０にねじ留めしたときに、皿面がガイドピンのテーパ部に押し付けられるようにする。
【００９０】
なお、上記実施形態では、筐体がタワー型の場合について説明したが、これに限定されるものではない。
【産業上の利用可能性】
【００９１】
以上説明したように、本発明の取付アダプタによれば、低コスト化を図るのに適している。また、本発明の情報処理装置によれば、低コスト化を図るのに適している。
【符号の説明】
【００９２】
１０…情報処理装置、１００…モニタ、１５０…入力装置、３００…本体、３１０…ハードディスク装置（装置）、３１１…ＨＤＤコネクタ（コネクタ）、４００…ＨＤＤ取付アダプタ（取付アダプタ）、４１０Ａ…ＨＤＤトレイ（トレイ）、４１０Ｂ…ＨＤＤトレイ（トレイ）、４１３２…皿穴、４１５２…皿穴、４２０…ＨＤＤホルダ（ホルダ）、４２３Ａ…ガイドピン、４２３Ｂ…ガイドピン、４２５Ａ…ガイドピン、４２５Ｂ…ガイドピン、４２７Ａ…固定ピン、４２７Ｂ…固定ピン、４２９ａ…ガイドレール、４２９ｂ…ガイドレール、４２９ｃ…ガイドレール、４２９ｄ…ガイドレール、４５０Ａ…コネクタ基板、４５０Ｂ…コネクタ基板、４５１…コネクタ、４６１…一体化ピン、４６３…ガイドピン。
【先行技術文献】
【特許文献】
【００９３】
【特許文献１】特開平８−３１５０９号公報
【特許文献２】特開２００１−２８７１３２号公報
【特許文献３】特許第３５１８７３１号公報
【図１】
2011086346.tif 000003
【図２】
2011086346.tif 000004
【図３】
2011086346.tif 000005
【図４】
2011086346.tif 000006
【図５】
2011086346.tif 000007
【図６】
2011086346.tif 000008
【図７】
2011086346.tif 000009
【図８】
2011086346.tif 000010
【図９】
2011086346.tif 000011
【図１０】
2011086346.tif 000012
【図１１】
2011086346.tif 000013
【図１２】
2011086346.tif 000014
【図１３】
2011086346.tif 000015
【図１４】
2011086346.tif 000016
【図１５】
2011086346.tif 000017
【図１６】
2011086346.tif 000018
【図１７】
2011086346.tif 000019
【図１８】
2011086346.tif 000020
【図１９】
2011086346.tif 000021
【図２０】
2011086346.tif 000022
【図２１】
2011086346.tif 000023
【図２２】
2011086346.tif 000024
【図２３】
2011086346.tif 000025
【図２４】
2011086346.tif 000026
【図２５】
2011086346.tif 000027
【図２６】
2011086346.tif 000028
【図２７】
2011086346.tif 000029
【図２８】
2011086346.tif 000030
【図２９】
2011086346.tif 000031
【図３０】
2011086346.tif 000032
【図３１】
2011086346.tif 000033
【図３２】
2011086346.tif 000034
【図３３】
2011086346.tif 000035
【図３４】
2011086346.tif 000036
【図３５】
2011086346.tif 000037
【図３６】
2011086346.tif 000038
【図３７】
2011086346.tif 000039
【図３８】
2011086346.tif 000040
【図３９】
2011086346.tif 000041
【図４０】
2011086346.tif 000042
【図４１】
2011086346.tif 000043
【図４２】
2011086346.tif 000044
【図４３】
2011086346.tif 000045
【図４４】
2011086346.tif 000046
【図４５】
2011086346.tif 000047